(57)【要約】【課題】ウェットティッシュ中の液体成分の蒸発を防止可能であるとともに、開閉自在容器全体の高さを低く抑えることができる開閉自在容器を提供する。【解決手段】開閉自在容器１０は、取出口２４を有する容器本体１１と、容器本体１１に基端２３ａ側の揺動軸Ｘ−Ｘを中心に揺動自在に設けられ、取出口２４を開閉する開閉蓋２３とを備えている。容器本体１１と開閉蓋２３との間には、板ゴム（弾性部材）５０が設けられている。容器本体１１は、板ゴム５０の一端を水平方向に収納する収納部７５を有している。容器本体１１の上板２７の裏面は略平坦化され、この上板２７の裏面にウェットティッシュ４１を収納した密閉袋４０を粘着させる。【選択図】図６
2010116200.tif 000002
【特許請求の範囲】
【請求項１】
取出口が形成された上板を有し、内部に開口を有する密閉袋が収納される容器本体と、
容器本体に基端側の揺動軸を中心に揺動自在に設けられ、取出口を開閉する開閉蓋と、
容器本体と開閉蓋との間に設けられた弾性部材と、
密閉袋に収納されたウェットティッシュとを備え、
密閉袋は、上板裏面に粘着され、
容器本体は、弾性部材の一端を水平方向に収納する収納部を有し、
容器本体のうち収納部裏面は平坦化され、ウェットティッシュを収納した密閉袋を上板裏面に粘着する際の障害とならないことを特徴とする開閉自在容器。
【請求項２】
密閉袋の開口周縁に粘着層が形成され、この粘着層により上板の裏面に密閉袋の開口周縁を粘着させることを特徴とする請求項１記載の開閉自在容器。
【請求項３】
密閉袋の開口周縁に形成された粘着層は、予め蓋片を剥離することにより外方に露出していることを特徴とする請求項２記載の開閉自在容器。
【請求項４】
ウェットティッシュに、アルコールが含浸されていることを特徴とする請求項１乃至３のいずれか一項記載の開閉自在容器。
【発明の詳細な説明】
【技術分野】
【０００１】
本発明は、例えば取出口が形成された上板を有する容器本体と、この容器本体に対して開閉自在な開閉蓋とを有する開閉自在容器に係り、とりわけ容器本体と開閉蓋との密閉性を高めた開閉自在容器に関する。
【背景技術】
【０００２】
一般に、ウェットティッシュ等を内部に収納するための開閉自在容器は、ウェットティッシュ等を収納するとともにウェットティッシュ等の取出口を有する容器本体と、取出口を開閉自在に密閉する開閉蓋とを備えている。
【０００３】
使用に際しては、容器本体の取出口に対して開閉蓋が開かれ、容器本体の取出口からウェットティッシュ等が一枚ずつ取出される。
【特許文献１】特開２００３−１７０９５０号公報
【発明の開示】
【発明が解決しようとする課題】
【０００４】
上述したように、従来の開閉自在容器は容器本体と、この容器本体に対して揺動自在に取付けられた開閉蓋とを備えており、使用しない際には開閉蓋を閉とし、容器本体内のウェットティッシュ中の液体成分が蒸発することを防止している。
【０００５】
しかしながら、このような構造の開閉自在容器においては、ウェットティッシュを収納した密閉袋が容器本体の内部に対して開放された構造となっている。このため、ウェットティッシュ中にとりわけアルコール等の揮発性が高い液体成分が含まれている場合、長時間の経過後、このアルコール等の液体成分が蒸発してしまうおそれがある。
【０００６】
一方、図１４に示すように、従来の開閉自在容器１００においては、開閉蓋１０１を付勢する弾性部材１０２の一端が、容器本体１０３の上板１０４に対して垂直に挿着されている。このため、弾性部材１０２を収容する収容部１０４ｂが上板１０４から下方に突出してしまい、上板１０４の裏面１０４ａが平坦にならない。この場合、ウェットティッシュを入れた密閉袋は、容器本体１０３内で収容部１０４ｂより下方に配置されるため、密閉袋と上板１０４との間に隙間が生じてしまう。
【０００７】
本発明はこのような点を考慮してなされたものであり、ウェットティッシュ中の液体成分の蒸発を抑制することが可能であるとともに、開閉自在容器全体の高さを低く抑えることができる開閉自在容器を提供することを目的とする。
【課題を解決するための手段】
【０００８】
本発明は、取出口が形成された上板を有し、内部に開口を有する密閉袋が収納される容器本体と、容器本体に基端側の揺動軸を中心に揺動自在に設けられ、取出口を開閉する開閉蓋と、容器本体と開閉蓋との間に設けられた弾性部材と、密閉袋に収納されたウェットティッシュとを備え、密閉袋は、上板裏面に粘着され、容器本体は、弾性部材の一端を水平方向に収納する収納部を有し、容器本体のうち収納部裏面は平坦化され、ウェットティッシュを収納した密閉袋を上板裏面に粘着する際の障害とならないことを特徴とする開閉自在容器である。
【０００９】
本発明は、密閉袋の開口周縁に粘着層が形成され、この粘着層により上板の裏面に密閉袋の開口周縁を粘着させることを特徴とする開閉自在容器である。
【００１０】
本発明は、密閉袋の開口周縁に形成された粘着層は、予め蓋片を剥離することにより外方に露出していることを特徴とする開閉自在容器である。
【００１１】
本発明は、ウェットティッシュに、アルコールが含浸されていることを特徴とする開閉自在容器である。
【発明の効果】
【００１２】
本発明によれば、容器本体の上板の裏面にウェットティッシュを収納した密閉袋の開口周縁を粘着させているので、密閉袋内に収納されたウェットティッシュ中の液体成分が、本体内部で蒸発することを防止することができる。
【００１３】
また本発明によれば、密閉袋は容器上板の裏面に粘着され、容器本体は弾性部材の一端を水平方向に収納する収納部を有している。このことにより、容器本体のうち収納部裏面が下方へ突出せず、ウェットティッシュを収納した密閉袋を収納する際の障害となる部分が存在しないので、上板裏面に密閉袋の開口周縁を粘着させることができる。また容器本体の上板裏面と密閉袋とを密着させることができるので、開閉自在容器を薄型に形成することができる。
【発明を実施するための最良の形態】
【００１４】
以下、図面を参照して本発明の実施の形態について説明する。図１乃至図１３は本発明の一実施の形態を示す図である。
【００１５】
まず図１乃至図６によりウェットティッシュ収納用容器（開閉自在容器）１０の全体構成について説明する。図１乃至図６に示すように、開閉自在容器１０は、内部に内容物としての例えばウェットティッシュ４１を収納する下方開口型の容器本体（本体）１１と、容器本体１１の下方開口を密閉する底蓋１２とを備えている。
【００１６】
また図１に示すように、容器本体１１は、ウェットティッシュ４１を取り出すための取出口２４が形成された上板２７と、上板２７から下方へ延びる側板１３とを有している。容器本体１１の側板１３には、上板２７の取出口２４を密閉する開閉蓋２３が基端２３ａ側の揺動軸Ｘ−Ｘを中心に揺動自在に取付けられている。
【００１７】
容器本体１１のうち開閉蓋２３の基端２３ａ側には、揺動軸Ｘ−Ｘに平行に延びるとともに内方に窪む背側段部２５が形成されている。この背側段部２５の両端近傍には、それぞれ背側段部２５の底面から上方に向けてストッパ３０が突設されている。このストッパ３０は、開閉蓋２３が全開状態となった際、その基端２３ａを停止させるためのものである。そしてこのストッパ３０により、板ゴム５０（後述）によって付勢された開閉蓋２３が所定位置に停止される。
【００１８】
さらに側板１３の下方には底蓋１２に当接するフランジ１４が外方へ突出して形成されている。なお、底蓋１２には側板１３から外方へ突出するとともに指を引掛ける引掛片１２ｄが設けられている。また対向する一対の側板１３ａ、１３ｂは外方へＲ状に突出している。
【００１９】
また容器本体１１の上板２７はその略中央部の第１上板（第１薄板）２７ａと、第１上板２７ａの外側に中央段部２８を介して設けられ、第１上板２７ａより高い位置にある第２上板（第２薄板）２７ｂとを有している。また上述した取出口２４は、第１上板２７ａに設けられている。
【００２０】
一方、第１上板２７ａには凹部９４が形成され、この凹部９４内において取出口２４を囲むように環状リブ９５が設けられている。すなわち上述した取出口２４は、環状リブ９５内に配置されている。また開閉蓋２３の裏面には、内部にパッキン部材（弾性密閉体）３８が装着される枠体３７が形成されている。そして枠体３７は、開閉蓋２３を閉とした際、凹部９４内であって環状リブ９５の外側に入り込むようになっている。
【００２１】
上述したように、枠体３７内部には、ドーム形状のパッキン部材３８が装着されている。このパッキン部材３８は、開閉蓋２３と別体に構成されている。パッキン部材３８は、例えば低密度ポリエチレン（ＬＤＰＥ）等の弾力性を有する軟質の合成樹脂材料からなり、枠体３７内に着脱可能に嵌め込まれている。
【００２２】
図１および図６に示すように、開閉蓋２３の自由端２３ｅには係止片３２が設けられている。また容器本体１１のうち開閉蓋２３の自由端２３ｅ側であって側板１３上端近傍に、上板２７から落込む落込段部５８が形成され、この落込段部５８内に作動体（操作ボタン）５５が設けられている。
【００２３】
次に、操作ボタン５５について説明する。この操作ボタン５５は、容器本体１１の落込段部５８に装着されている。図７は、容器本体１１のうち操作ボタン５５の取付部分を拡大して示す平面図である。また図８乃至図１１は、操作ボタン５５の詳細を示す図である。
【００２４】
図８乃至図１１に示すように、操作ボタン５５は天板部６５を有し、天板部６５にユーザーが指を添えるための操作面６５ａが形成されている。この操作面６５ａは中央が凹んだ曲面を描くように形成されている。天板部６５の後端側（図８における上側）の外周６５ｂは弧状に湾曲し、前端側の外周６５ｃは直線形状に形成されている。図９および図１１に示すように、天板部６５の後端部の中央には、開閉蓋２３の係止片３２と噛み合うための爪部６６が形成されている。
【００２５】
また、天板部６５の裏面側には一対の取付リブ６７、６７が突設され、取付リブ６７、６７にはそれぞれヒンジ軸６８、６８が形成されている。ヒンジ軸６８は互いに同軸である。さらに、天板部６５裏面の前端側には弓形のばね部６９が形成されている。
【００２６】
一方、図７に示すように、容器本体１１の落込段部５８は、底板７１と、この底板７１と凹部９４との間に配置された側板７２と、底板７１と第２上板２７ｂとの間に配置される側板７３とに囲まれている。側板７３の両端近傍には、内方に突出する一対の段部７４、７４が形成され、段部７４、７４には、それぞれ操作ボタン５５のヒンジ軸６８、６８を受け入れるためヒンジ受け穴７８、７８が形成されている。また、底板７１には、操作ボタン５５のばね部６９を受け入れるためのばね受け溝７９が設けられ、ばね受け溝７９内にはばね部６９の中央を上下方向所定位置に保持するためのリブ８０が設けられている。
【００２７】
操作ボタン５５は、そのばね部６９をばね受け溝７９に、かつヒンジ軸６８をヒンジ受け穴７８、７８にそれぞれ嵌め込むことにより、落込段部５８内にヒンジ軸６８を中心として回動可能に装着される。ばね部６９の復元力により、操作ボタン５５の爪部６６は、ヒンジ軸６８を中心として凹部９４に近付く方向（図６の下方）に付勢されている。
【００２８】
開閉蓋２３が閉じられると、その開閉蓋２３の係止片３２を避けるようにして操作ボタン５５が回転する。そして、係止片３２が爪部６６を乗り越えると、ばね部６９の力で操作ボタン５５が回動し、これにより係止片３２と爪部６６とが相互に噛み合って、開閉蓋２３が閉じた状態に保持される。
【００２９】
他方、開閉蓋２３が閉じた状態で操作ボタン５５の操作面６５ａをユーザーが押下すると、操作ボタン５５の爪部６６はヒンジ軸６８を中心として凹部９４から遠ざかる方向に回動し、これにより係止片３２と爪部６６との係合が解除される。
【００３０】
ところで、図１および図６に示すように、容器本体１１と開閉蓋２３との間に、開閉蓋２３を開方向に向って付勢する細長状の板ゴム（弾性部材）５０が設けられている。すなわち、容器本体１１には、板ゴム５０の一端を水平方向に差込み自在に収納する収納部７５が設けられ、また開閉蓋２３には板ゴム５０の他端を水平方向に固定する固着部７６が設けられている。
【００３１】
図６および図１２に示すように、収納部７５は背面方向に開口した構造となっており、板ゴム５０の一端を水平方向に差込んで収納できるようになっている。したがって、容器本体１１の第１上板２７ａのうち収納部７５裏面は、下方へ突出することなく略平坦化されている。これにより、密閉袋４０（後述）を第１上板２７ａ裏面に粘着させる際の障害とならないようになっている。
【００３２】
なお、上述した容器本体１１および開閉蓋２３は、いずれもポリプロピレン（ＰＰ）を用いたインジェクション成形により得られるが、この他にＰＥ、ＰＳ、ＡＢＳ、エラストマー、ＰＥＴ、ＰＶＣ、ポリカーボネートを用いて成形してもよい。また底蓋１２は直鎖状低密度ポリエチレン（ＬＬＤＰＥ）が好ましく用いられ、さらに板ゴム５０としてはシリコンゴムが用いられる。また固着部７６はポリプロピレン（ＰＰ）からなっている。
【００３３】
次に図１３（ａ）（ｂ）により、容器本体１１内に収納されるウェットティッシュ４１について説明する。図１３（ａ）に示すように、ウェットティッシュ４１は柔軟なシートからなる密閉袋４０内で折畳まれて積層配置され、この密閉袋４０によって密閉される。各ウェットティッシュ４１は折曲部４２を形成して略二つ折りされ、各ウェットティッシュ４１の折曲部４２は交互に入れ替わっている。またウェットティッシュ４１の二つ折りされた下半分４１ｂは、下方に配置するウェットティッシュ４１の上半分４１ａと更に下方に位置するウェットティッシュ４１の上半分４１ａとの間に挿入されている。このためウェットティッシュ４１を一枚ずつ摘んで取出した場合、取出したウェットティッシュ４１の下半分４１ｂが、下方に位置するウェットティッシュ４１の上半分４１ａを引張り上げるようになっている。なお、ウェットティッシュ４１の折り方は、連続的に取り出すことができるように積層配置されていればよく、特に限定されるものではなく、例えば図１３（ｂ）のような折り方であってもよい。また密閉袋４０の上端にウェットティッシュ４１の取出し用の開口４０ａが設けられている。この開口４０ａは、開閉自在容器１０の使用開始前においては、密閉袋４０上面に取外自在に貼付けられた蓋片４５により密閉されている。
【００３４】
この場合、蓋片４５は、開口４０ａ周縁に形成された粘着層４６によって密閉袋４０上面に貼付けられている。この粘着層４６は、後述するように、密閉袋４０の開口４０ａ周縁を第１上板２７ａ裏面に着脱自在に粘着させる際にも用いられる（図１２参照）。そして粘着層４６は、予め蓋片４５を剥離することにより外方に露出させるようになっている。
【００３５】
他方、ウェットティッシュ４１の素材としては、例えば、不織布、紙、ガーゼ等の繊維素材やシート状の発泡体、または紙ベースの軟質材料が用いられる。またウェットティッシュ４１に含浸させる液体としては、殺菌剤、消毒剤、洗浄剤等を含んだ湿潤剤や化粧水や乳液等の化粧品が考えられる。本実施の形態において、容器本体１１と開閉蓋２３との密閉性、および容器本体１１と密閉袋４０との密閉性が高められているので、例えばアルコール等、とりわけ揮発性の高い液体が含浸されたウェットティッシュ４１を好適に用いることができる。
【００３６】
次にこのような構成からなる本実施の形態の作用について説明する。
【００３７】
初めに、未使用の開閉自在容器１０の使用を開始する際における作用について説明する。まず、容器本体１１から底蓋１２を取り外し、容器本体１１内にあるウェットティッシュ４１を収納した密閉袋４０を取出す。次に、蓋片４５を開口４０ａ周縁の粘着層４６から剥離することにより、密閉袋４０の開口４０ａを開とする。
【００３８】
続いて、粘着層４６を介して密閉袋４０の開口４０ａ周縁と第１上板２７ａ裏面とを貼着する。これにより、ウェットティッシュ４１を収納した密閉袋４０が第１上板２７ａ裏面に着脱自在に取り付けられる。
【００３９】
次いで、底蓋１２を容器本体１１に取り付け、容器本体１１の下方開口を密閉する。
【００４０】
次に、容器本体１１に収納されたウェットティッシュ４１を使用する際の作用について説明する。まず、ユーザーが操作ボタン５５の天板部６５を押圧する。これにより、係止片３２と爪部６６との係合が解除される。この場合、板ゴム５０の復元力により、開閉蓋２３が開となる。
【００４１】
すなわち、開閉蓋２３は、板ゴム５０に付勢され、揺動軸Ｘ−Ｘを中心に開方向（図６の時計回り方向）に回動する。その後、開閉蓋２３が全開位置に達すると、開閉蓋２３の基端２３ａがストッパ３０に係止して開閉蓋２３が停止する。
【００４２】
次に容器本体１１の取出口２４からウェットティッシュ４１を指で摘んで上方へ引っ張り出し、使用する。
【００４３】
このようにしてウェットティッシュ４１を取り出した後、開閉蓋２３を閉とする。この際、ユーザーが開閉蓋２３を手で下方に押し下げることにより、開閉蓋２３は、板ゴム５０の付勢力に抗して揺動軸Ｘ−Ｘ中心に閉方向（図６の反時計回り方向）に回動する。その後、開閉蓋２３が全閉位置に達すると、開閉蓋２３の係止片３２が作動体（操作ボタン）５５の爪部６６に係合し、開閉蓋２３が全閉位置に固定される。
【００４４】
この際、パッキン部材３８と環状リブ９５とが密着するので、パッキン部材３８により容器本体１１の取出口２４が密閉される。また、上述したように密閉袋４０の開口４０ａ周縁は、粘着層４６を介して第１上板２７ａ裏面に密着している。したがって、ウェットティッシュ４１中の液体成分が、取出口２４から蒸発することがなく、また容器本体１１内部で蒸発することもない。
【００４５】
以上のように本実施の形態によれば、容器本体１１の第１上板２７ａ裏面に密閉袋４０の開口４０ａ周縁を粘着させているので、密閉袋４０に収納されたウェットティッシュ４１中の液体成分が容器本体１１内部で蒸発することを防止することができる。
【００４６】
また本実施の形態によれば、板ゴム５０の一端を収納する収納部７５が水平方向を向いているので、容器本体１１の収納部７５裏面を略平坦化することができる。したがって、密閉袋４０を第１上板２７ａ裏面に粘着する際に収納部７５が障害となることがない。また密閉袋４０と第１上板２７ａとの間に隙間が生じないので、容器本体１１内の無駄なスペースをなくすことができ、開閉自在容器１０を薄型に形成することができる。
【図面の簡単な説明】
【００４７】
【図１】図１は、本発明の一実施の形態による開閉自在容器を示す斜視図。
【図２】図２は、本発明の一実施の形態による開閉自在容器を示す平面図。
【図３】図３は、本発明の一実施の形態による開閉自在容器を示す正面図。
【図４】図４は、本発明の一実施の形態による開閉自在容器を示す背面図。
【図５】図５は、本発明の一実施の形態による開閉自在容器を示す側面図。
【図６】図６は、本発明の一実施の形態による開閉自在容器を示す垂直断面図（図２のVI−VI線断面図）。
【図７】図７は、落込段部を示す拡大図。
【図８】図８は、作動体（操作ボタン）を示す平面図。
【図９】図９は、作動体（操作ボタン）を示す底面図。
【図１０】図１０は、作動体（操作ボタン）を示す正面図。
【図１１】図１１は、作動体（操作ボタン）を示す側面図。
【図１２】図１２は、図６の部分拡大図。
【図１３】図１３（ａ）（ｂ）は、ウェットティッシュを収納した密閉袋を示す側断面図。
【図１４】図１４は、従来の開閉自在容器における弾性部材を示す図。
【符号の説明】
【００４８】
１０        開閉自在容器
１１        容器本体
１２        底蓋
１３        側板
１４        フランジ
２３        開閉蓋
２４        取出口
２５        背側段部
２７        上板
２７ａ      第１上板（第１薄板）
２７ｂ      第２上板（第２薄板）
２８        中央段部
３０        ストッパ
３２        係止片
３７        枠体
３８        パッキン部材（弾性密閉体）
４０        密閉袋
４０ａ      開口
４１        ウェットティッシュ
４５        蓋片
４６        粘着層
５０        板ゴム（弾性部材）
５５        作動体（操作ボタン）
６５        天板部
６６        爪部
６７        取付リブ
６８        ヒンジ軸
６９        ばね部
７１        底板
７２        側板
７３        側板
７４        段部
７５        収納部
７６        固着部
７８        ヒンジ受け穴
７９        ばね受け溝
８０        リブ
９４        凹部
９５        環状リブ
【図１】
2010116200.tif 000003
【図２】
2010116200.tif 000004
【図３】
2010116200.tif 000005
【図４】
2010116200.tif 000006
【図５】
2010116200.tif 000007
【図６】
2010116200.tif 000008
【図７】
2010116200.tif 000009
【図８】
2010116200.tif 000010
【図９】
2010116200.tif 000011
【図１０】
2010116200.tif 000012
【図１１】
2010116200.tif 000013
【図１２】
2010116200.tif 000014
【図１３】
2010116200.tif 000015
【図１４】
2010116200.tif 000016